【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、２以上のレンズ群を有する後群より構成され、ズーミングおよびフォーカシングの少なくとも一方のために隣り合うレンズ群の間隔が変化するズームレンズであって、
前記後群は、フォーカシングに際して隣り合うレンズ群との間隔が変化するように移動する負の屈折力のフォーカスレンズ群を有し、前記フォーカスレンズ群は、特定の物体距離に合焦しているときのズーミングにおいて他のレンズ群と同一の軌跡で移動することを特徴とするズームレンズ。
【請求項２】
広角端における前記フォーカスレンズ群の最も物体側のレンズ面から像面までの光軸上の距離をＬｆｓｋ、広角端における前記フォーカスレンズ群の最も物体側のレンズ面から全系の最も像側のレンズ面までの光軸上の距離をＬｆとするとき、
１．４＜Ｌｆｓｋ／Ｌｆ＜４．０
なる条件式を満足することを特徴とする請求項１に記載のズームレンズ。
【請求項３】
広角端から望遠端へのズーミングに際して、前記第１レンズ群と前記第２レンズ群と前記第３レンズ群は物体側へ移動することを特徴とする請求項１または２に記載のズームレンズ。
【請求項４】
前記第２レンズ群の焦点距離をｆ２、広角端における前記後群の合成焦点距離をｆｎとするとき、
０．３＜ｆ２／ｆｎ＜１．０
なる条件式を満足することを特徴とする請求項１乃至３のいずれか１項に記載のズームレンズ。
【請求項５】
前記フォーカスレンズ群の焦点距離をｆｆ、広角端における前記フォーカスレンズ群より像側に配置される全てのレンズ群の合成焦点距離をｆｉとするとき、
１５．０＜｜ｆｉ／ｆｆ｜＜２５０．０
なる条件式を満足することを特徴とする請求項１乃至４のいずれか１項に記載のズームレンズ。
【請求項６】
前記第１レンズ群の焦点距離をｆ１、広角端における前記後群の合成焦点距離をｆｎとするとき、
１．５＜ｆ１／｜ｆｎ｜＜５．０
なる条件式を満足することを特徴とする請求項１乃至５のいずれか１項に記載のズームレンズ。
【請求項７】
望遠端におけるレンズ全長をＴｌ、望遠端における全系の焦点距離をｆｔとするとき、０．６＜Ｔｌ／ｆｔ＜０．８
なる条件式を満足することを特徴とする請求項１乃至６のいずれか１項に記載のズームレンズ。
【請求項８】
前記第２レンズ群の焦点距離をｆ２、広角端における全系の焦点距離をｆｗとするとき、
０．１＜｜ｆ２｜／ｆｗ＜１．０
なる条件式を満足することを特徴とする請求項１乃至７のいずれか１項に記載のズームレンズ。
【請求項９】
前記フォーカスレンズ群の焦点距離をｆｆ、広角端におけるバックフォーカスをＷｓｋとするとき、
０．８＜｜ｆｆ｜／Ｗｓｋ＜３．０
なる条件式を満足することを特徴とする請求項１乃至８のいずれか１項に記載のズームレンズ。
【請求項１０】
広角端における前記後群の合成焦点距離をｆｎ、前記第３レンズ群の焦点距離をｆ３とするとき、
０．３＜ｆ３／｜ｆｎ｜＜１．５
なる条件式を満足することを特徴とする請求項１乃至９のいずれか１項に記載のズームレンズ。
【請求項１１】
前記第２レンズ群の焦点距離をｆ２、望遠端における全系の焦点距離をｆｔとするとき、
０．０５＜｜ｆ２｜／ｆｔ＜０．２０
なる条件式を満足することを特徴とする請求項１乃至１０のいずれか１項に記載のズームレンズ。
【請求項１２】
前記後群は、物体側から像側へ順に配置された、負の屈折力の第４レンズ群、正又は負の屈折力の第５レンズ群からなることを特徴とする請求項１乃至１１のいずれか１項に記載のズームレンズ。
【請求項１３】
フォーカシングに際して前記第４レンズ群は移動し、無限遠に合焦しているときにおけるズーミングにおいて、前記第４レンズ群は前記第３レンズ群又は前記第５レンズ群と同一の軌跡で移動することを特徴とする請求項１２に記載のズームレンズ。
【請求項１４】
フォーカシングに際して前記第４レンズ群は移動し、有限距離に合焦しているときにおけるズーミングにおいて、前記第４レンズ群は前記第３レンズ群又は前記第５レンズ群と同一の軌跡で移動することを特徴とする請求項１２に記載のズームレンズ。
【請求項１５】
物体側より像側へ順に配置された、正の屈折力の第１レンズ群、負の屈折力の第２レンズ群、正の屈折力の第３レンズ群、負の屈折力の第４レンズ群、負または正の第５レンズ群より構成され、ズーミングに際して、少なくとも第１レンズ群、第３レンズ群、第４レンズ群、第５レンズ群が移動するズームレンズであって、
フォーカシングに際して前記第４レンズ群が移動し、第２レンズ群の焦点距離をｆ２、第４レンズ群の焦点距離をｆ４、望遠端における全系の焦点距離をｆｔ、望遠端における最も物体側のレンズ面から像面までの距離をＴｌとしたとき、
０．５５＜ｆ２／ｆ４＜０．８
０．６＜Ｔｌ／ｆｔ＜０．８
なる条件式を満足することを特徴とするズームレンズ。
【請求項１６】
前記第１レンズ群の焦点距離をｆ１、望遠端における全系の焦点距離をｆｔとするとき、
１．０＜ｆｔ／ｆ１＜３．５
なる条件式を満足することを特徴とする請求項１乃至１５のいずれか１項に記載のズームレンズ。
【請求項１７】
前記第２レンズ群の焦点距離をｆ２、望遠端における全系の焦点距離をｆｔとするとき、
６．０＜ｆｔ／｜ｆ２｜＜１２．０
なる条件式を満足することを特徴とする請求項１乃至１６のいずれか１項に記載のズームレンズ。
【請求項１８】
前記第４レンズ群の焦点距離をｆ４、望遠端における全系の焦点距離をｆｔとするとき、
５．０＜ｆｔ／｜ｆ４｜＜７．５
なる条件式を満足することを特徴とする請求項１乃至１７のいずれか１項に記載のズームレンズ。
【請求項１９】
前記第４レンズ群の焦点距離をｆ４、前記第１レンズ群の焦点距離をｆ１とするとき、１．５＜ｆ１／｜ｆ４｜＜４．０
なる条件式を満足することを特徴とする請求項１乃至１８のいずれか１項に記載のズームレンズ。
【請求項２０】
請求項１乃至１９のいずれか１項に記載のズームレンズと、該ズームレンズによって形成された像を受光する撮像素子を有することを特徴とする撮像装置。
【手続補正２】
【補正対象書類名】明細書
【補正対象項目名】０００９
【補正方法】変更
【補正の内容】
【０００９】
本発明のズームレンズは、物体側より像側へ順に配置された、正の屈折力の第１レンズ群、負の屈折力の第２レンズ群、正の屈折力の第３レンズ群、２以上のレンズ群を有する後群より構成され、ズーミングおよびフォーカシングの少なくとも一方のために隣り合うレンズ群の間隔が変化するズームレンズであって、前記後群は、フォーカシングに際して隣り合うレンズ群との間隔が変化するように移動する負の屈折力のフォーカスレンズ群を有し、前記フォーカスレンズ群は、特定の物体距離に合焦しているときのズーミングにおいて他のレンズ群と同一の軌跡で移動することを特徴としている。
【手続補正３】
【補正対象書類名】明細書
【補正対象項目名】００１０
【補正方法】変更
【補正の内容】
【００１０】
本発明のズームレンズは、物体側より像側へ順に配置された、正の屈折力の第１レンズ群、負の屈折力の第２レンズ群、正の屈折力の第３レンズ群、負の屈折力の第４レンズ群、負または正の屈折力の第５レンズ群より構成され、ズーミングに際して、少なくとも第１レンズ群、第３レンズ群、第４レンズ群、第５レンズ群が移動するズームレンズであって、フォーカシングに際して前記第４レンズ群が移動し、前記第２レンズ群の焦点距離をｆ２、前記第４レンズ群の焦点距離をｆ４、望遠端における全系の焦点距離をｆｔ、望遠端における最も物体側のレンズ面から像面までの光軸上の距離をＴｌとしたとき、
０．５５＜ｆ２／ｆ４＜０．８
０．６＜Ｔｌ／ｆｔ＜０．８
なる条件式を満足することを特徴としている。
【手続補正４】
【補正対象書類名】明細書
【補正対象項目名】００５１
【補正方法】変更
【補正の内容】
【００５１】
各実施例においては、ズーミングに際して５つのレンズ群が移動する。また、フォーカスレンズ群は少なくとも正レンズと負レンズを１枚ずつ備えることで、フォーカシングの際の色収差の変動を抑制している。各実施例において好ましくは次の条件式のうち１以上を満足するのが良い。第１レンズ群Ｂ１の焦点距離をｆ１とする。第２レンズ群Ｂ２の焦点距離をｆ２とする。第３レンズ群Ｂ３の焦点距離をｆ３とする。広角端における後群の合成焦点距離をｆｎとする。フォーカスレンズ群の焦点距離をｆｆとする。広角端におけるフォーカスレンズ群より像側に配置される全てのレンズ群の合成焦点距離をｆｉとする。